(57)【要約】  電気通信利用者が、電気通信端末と電子的なアドレスを用いて、電気通信サービスにアクセスすることを可能とする方法を開示している。電気通信利用者は、ＲＦＩＤリーダー機器（２）を用いて、ＲＦＩＤ構成部品（１）内に保存されている電子的なコード（１００）を読み出して、当該の電子的なコード（１００）を、電気通信網（４）を介してネームサービスサーバー（６）に伝送し、当該のネームサービスサーバー（６）が、当該のコードに対応する、当該の電子的なアドレスを決定するために使用することができるページの電子的なページアドレスを返信して、当該の電気通信端末（３）が、当該の電子的なアドレスを取得して、当該の電気通信サービスにアクセスするものである。
2007535732.tif 000002
【特許請求の範囲】
【請求項１】
電気通信利用者が、電気通信端末と電子的なアドレスを用いて、電気通信サービスにアクセスすることを可能とする方法であって、
電気通信利用者が、ＲＦＩＤリーダー機器（２）を用いて、ＲＦＩＤ構成部品（１）内に保存されている電子的なコード（１００）を読み出す措置と、
電気通信網（４）を介して、当該の電子的なコード（１００）をネームサービスサーバー（６）に伝送する措置と、
当該のネームサービスサーバー（６）が、当該のコードに対応するページの電子的なページアドレスを返信して、そのページから当該の電子的なアドレスを抽出することができるようにする措置と、
所望の電子的なアドレスを、当該の電気通信端末（３）に提供する措置と、
当該の電気通信サービスにアクセスする措置と、
を有する方法。
【請求項２】
当該の電子的なコード（１００）は、サーバー（５）に送信され、
そのサーバー（５）は、電気通信網（４）のインフラストラクチャー内に配置されており、そのコードをネームサービスサーバー（６）に転送し、
当該のネームサービスサーバー（６）は、電気通信網（４）のインフラストラクチャー外に配置されており、幾つかの網運用業者からアクセス可能である、
請求項１に記載の方法。
【請求項３】
当該のページが、マークアップ言語によるハイパーテキストコンテンツを有する請求項１又は２に記載の方法。
【請求項４】
当該の電子的なアドレスが、交換網（８）における目標とする端末（９）の電子的なアドレスに相当する請求項１から３までのいずれか一つに記載の方法。
【請求項５】
当該の電子的なアドレスが、電話番号又はファクシミリ番号である請求項４に記載の方法。
【請求項６】
当該の電子的なアドレスが、パケット網（８）における目標とする端末（９）の電子的なアドレスに相当する請求項１から３までのいずれか一つに記載の方法。
【請求項７】
当該の電子的なアドレスが、電子メールアドレスである請求項６に記載の方法。
【請求項８】
当該の電子的なアドレスが、ＵＲＬである請求項６に記載の方法。
【請求項９】
当該のページが、当該の電子的なアドレスだけを有する請求項１から８までのいずれか一つに記載の方法。
【請求項１０】
当該の電子的なアドレスが、当該のページにおいて、ＸＭＬ又はＰＭＬフィールドとして記述されており、当該の電気通信端末によってソートされる請求項３から８までのいずれか一つに記載の方法。
【請求項１１】
当該の電子的なアドレスが、ＷＥＢサービスを介して取得可能である請求項１から８までのいずれか一つに記載の方法。
【請求項１２】
当該の電気通信サービスが、当該の電子的なアドレスを用いて、当該の電気通信端末（３）と目標とする端末（９）との間の接続を確立することを含む請求項１から１１までのいずれか一つに記載の方法。
【請求項１３】
当該の電気通信サービスが、当該の電子的なアドレスをディレクトリィに保存することを含む請求項１から１２までのいずれか一つに記載の方法。
【請求項１４】
当該の電気通信サービスが、当該の電子的なアドレスのハイパーテキストページへのアクセスを含む請求項１から１１までのいずれか一つに記載の方法。
【請求項１５】
当該の電気通信サービスが、当該の電子的なアドレスを割り当てられたエンティティによる支払いトランザクションを含む請求項１から１１までのいずれか一つに記載の方法。
【請求項１６】
当該のコードを読み出した後、当該の利用者の介入無しに、当該の電気通信サービスにアクセスする請求項１から１５までのいずれか一つに記載の方法。
【請求項１７】
当該のコードを読み出した後、当該の利用者が確認した後でのみ、当該の電気通信サービスにアクセスする請求項１から１５までのいずれか一つに記載の方法。
【請求項１８】
当該の電気通信端末のソフトウェアアプリケーションが、当該の利用者に当該の確認を求める請求項１７に記載の方法。
【請求項１９】
当該のソフトウェアアプリケーションが、利用者に当該の電子的なアドレスによって利用可能な幾つかの電気通信サービスの中から一つを選択することを求める請求項１８に記載の方法。
【請求項２０】
当該のソフトウェアアプリケーションが、利用者に幾つかの利用可能な電子的なアドレスの中の一つを選択することを求める請求項１８又は１９に記載の方法。
【請求項２１】
当該のページから、当該のソフトウェアアプリケーションをダウンロードする請求項１８又は１９に記載の方法。
【請求項２２】
当該の電子的なアドレスが、オブジェクト内において構造化されており、このオブジェクトが、当該の電気通信サービスにアクセスするためのプログラムも含む請求項１８又は１９に記載の方法。
【請求項２３】
当該の電気通信利用者の手動による始動によって、当該の各コード（１００）の処理を開始する請求項１から２２までのいずれか一つに記載の方法。
【請求項２４】
当該の電気通信端末（２，３）は、閉じた領域において、ＲＦＩＤ構成部品（１）を連続して探し求める請求項１から２２までのいずれか一つに記載の方法。
【請求項２５】
当該のＲＦＩＤリーダー機器（２）が、移動体無線電話機（３）の一部である請求項１から２４までのいずれか一つに記載の方法。
【請求項２６】
当該のコードは、当該の移動体無線電話機（３）のソフトウェアアプリケーションによって構造化されて、当該のサーバー（５）に送信される請求項２５に記載の方法。
【請求項２７】
当該の電気通信サービスが、当該の移動体機器（３）によってアクセスされる請求項２４又は２５に記載の方法。
【請求項２８】
少なくとも一つのコード（１００）を保存しているＲＦＩＤ構成部品（１）を備えた製品と、
当該の幾つかのコード（１００）に対して、それらに対応するパケット網のダウンロード可能なページのページアドレスを指定するネームサービスサーバー（６）と、
当該のページアドレスにより、パケット網を介してアクセス可能な少なくとも一つのページと、
を構成要素として備えており、少なくとも一つの電子的なアドレスがマークアップフィールドとして表されているシステム。
【請求項２９】
当該の電子的なアドレスが、当該の製品上に印刷されている請求項２８に記載のシステム。
【請求項３０】
少なくとも一つのＲＦＩＤリーダー機器（２）が、移動体機器（３）と接続されるとともに、当該のコード（１００）を読み取ることが可能であり、当該の移動体機器（３）が、コード（１００）に対応する当該のページアドレスを決定して、当該のページから電子的なアドレスを抽出するためのアプリケーションを有する請求項２８又は２９に記載のシステム。
【請求項３１】
請求項１から２７までのいずれか一つに記載の方法のための製品において、
この製品は、名刺として構成されていることと、
当該の電子的なアドレスが、当該の製品上に印刷されていることと、
この製品は、少なくとも一つのコード（１００）を保存しているＲＦＩＤ構成部品（１）を有することと、
を特徴とする製品。
【発明の詳細な説明】
【技術分野】
【０００１】
この発明は、電気通信網用の電気通信端末の利用者が、電子的なアドレスを用いて電気通信サービスにアクセスすることを可能とする請求項１による方法、請求項２８によるシステム及び請求項３１による製品に関する。
【背景技術】
【０００２】
多くの電気通信サービスでは、電子的なアドレスを入力することが必要である。電話接続を実現するためには、電話番号を入力しなければならず、電子メールを送信するためには、受信者のアドレスをタイプ入力しなければならない。ウェブページへのアクセスも、ＵＲＬアドレスによって可能となる。
【０００３】
電子的なアドレスを覚えておいて、そのアドレスをタイプ入力することは退屈な作業であり、間違いを起こし易い。大抵の場合、必要なアドレスは、ローカル又はリモートディレクトリィ、例えば、電話番号や電子メールアドレス用のメモリ領域又はＵＲＬ用のブックマーク管理プログラムに保存されている。
【０００４】
しかし、新しいアドレスは、それを使用する前にディレクトリィ内に書き込まなければならない。新しいアドレスを自動的に読み込んで、それをディレクトリィに保存するための多くの方法が知られている。例えば、バーコードとして印刷された電子的なアドレスを読み込んで処理することができるバーコードスキャナーが知られている。しかし、バーコードは、アドレス用としては比較的まばらにしか配布されておらず、通常のバーコードスキャナーで読み込むことができるアドレスの最大限可能な長さが制限されている。例えば、長いＵＲＬは、バーコードとして使用するのが難しい。
【０００５】
名刺をスキャンして、それを自動的にテキストに変換し、認識したデータをデータベースに保存することができるスキャナーも知られている。しかし、そのようなテキスト認識プログラムを備えたテキストスキャナーは、比較的高価であり、持ち運びが難しい。特に、光学式文字認識（ＯＣＲ）によるテキスト認識は、間違いを起こし易く、多くの記憶領域と計算能力を必要とする。
【０００６】
また、非接触式インタフェースを介して読み取られるチップ内に電子的なアドレスを保存するシステムが既に推奨されている。しかし、そのようなシステムは、保存しているアドレスをＲＦＩＤ書込機器を用いて更新するのが難しく、そのことは、チップが再書込み可能である場合にだけ可能であるという欠点を有する。このチップの記憶容量は限定されており、見込まれる最大数よりも多いビットから成るアドレスを保存することができない。アドレスが変わった場合、それ以前に配布したすべてのチップを交換又は更新しなければならない。
【０００７】
特許文献１により、ＲＦＩＤ構成部品としても実現することができる、所謂ＩＤカードが周知である。これらのカードには、利用者（例えば、学生）の画像が保存されている。
【０００８】
特許文献２は、利用者の電気通信端末を用いて、識別コードを読み取って、直接的又はデータベースに照会した後に電話番号を選択する方法に関するものである。
【０００９】
特許文献３による実施形態では、ＲＦＩＤタグを読み出して、受信した情報をウェブページやメールボックスなどにアクセスするために使用している。
【特許文献１】欧州特許公開第１０５４３３５号明細書
【特許文献２】米国特許第６，６１１，６７３号明細書
【特許文献３】国際特許公開第０３／１０７１４６号明細書
【発明の開示】
【発明が解決しようとする課題】
【００１０】
この発明の課題は、前述した問題をより効率的に解決することができる新しい方法及びシステムを提案することである。
【００１１】
特に、この発明の課題は、電気通信網の利用者が電気通信端末と電子的なアドレスを用いて電気通信サービスにアクセスすることを可能ととする新しい方法及びシステムを提案することである。提供可能なサービスには、例えば、指定されたアドレスによる接続の確立、ディレクトリィへの電子的なアドレスの保存、ＳＩＭカードに関連する口座からの金額の充填（複数回補充することができるプリペイドカード又は価値保存カード）、移動体端末３又は移動体無線網４における各ブロック解除機能のブロック、電子的なアドレスによる支払いトランザクション等が有る。
【００１２】
また、この発明の課題は、電子的なアドレスをより効率的に配布、更新、読み取り及び使用することを可能とする新しい方法及びシステムを提案することである。
【００１３】
この発明の別の課題は、利用者が、ログインしている電気通信システムと関係なく、アドレスを使用することを可能とする新しい方法及びシステムを提案することである。
【課題を解決するための手段】
【００１４】
これらの課題は、特に、電気通信利用者が、電気通信端末と電子的なアドレスを用いて、電気通信サービスにアクセスすることを可能とする方法であって、
電気通信利用者が、ＲＦＩＤリーダー機器を用いて、ＲＦＩＤ構成部品内に保存されている電子的なコードを読み出す措置と、
電気通信網を介して、当該の電子的なコードをネームサービスサーバーに伝送する措置と、
当該のネームサービスサーバーが、当該のコードに対応するページの電子的なページアドレスを返信して、そのページから当該の電子的なアドレスを抽出することができるようにする措置と、
所望の電子的なアドレスを、当該の電気通信端末に提供する措置と、
当該の電気通信サービスにアクセスする措置と、
を有する方法によって達成される。
【００１５】
この方法は、使用する電子的なアドレスが電気通信端末に自動的に転送されるという利点を有する。
【００１６】
また、この方法は、使用する電子的なアドレスが、ＲＦＩＤ構成部品内に保存されているのではなく、例えば、そのアドレスの所有者によって、ＲＦＩＤ構成部品の配布後であっても何時でも容易に更新することができるページ上に保存されているという利点を有する。
【００１７】
更に、この方法は、所望の電子的なアドレスを抽出するためのページのページアドレス自身が、ネームサービスサーバーによって決定され、そのためＲＦＩＤ構成部品の利用者に通報することなく容易に変更することができるという利点を有する。このことにより、例えば、このページを異なるサーバー上で提供することができる。
【００１８】
このページのページアドレスは、ＲＦＩＤ構成部品１０から読み込まれたコードに対応する。コードと電子的なページアドレス間の関連付けは、静的ではなく、ネームサービスサーバーに登録されている。このことは、ページアドレスの変更が何時でも可能であり、簡単に追跡することができるという利点を有する。このことは、サーバーの単一アドレスにより、各網の各移動体機器から、サービスをオーダーすることができる汎用的なシステムであるという利点も有する。
【００１９】
更に、この発明による方法は、当該の電気通信端末の電子的なアドレスを取得すると直ちに電気通信サービスにアクセスすることができるという利点を有する。従って、ＲＦＩＤリーダー機器を用いて、場合によっては利用者が介入することがなくても、直ちに電子的なアドレスを決定して、そのアドレスをサービスにアクセスするために使用することが可能である。
【００２０】
この方法により、利用者、例えば、移動体加入者が、所望のサービスのアドレスを転送することができるＲＦＩＤ構成部品を所有していることを証明することができる。ＲＦＩＤ構成部品は、コピーされ難いことと、電子的なアドレスが、場合によってはダウンロード可能なページ上だけで入手可能であることとから、電子的なアドレスの配布とそのためサービスへのアクセスを制御することができ、そのことは、セキュリティも向上させることとなる。
【００２１】
ＲＦＩＤ構成部品は、製品、例えば、名刺（これだけに限定されるものではない）と組み合わせることが可能なタグに組み込むことができる。従って、タグ内のコードを読み取ることによって、その時点で製品サポートに対して責任を持つ人の電話番号又は電子メールアドレスを決定して、その人との接続を自動的に確立することが可能となる。
【発明を実施するための最良の形態】
【００２２】
以下では、この発明について、図面にもとづき詳しく述べる。
【００２３】
図１は、利用者（移動体利用者）が、この発明による方法にもとづきサービスをオーダーするために使用するシステムを図示している。移動体機器３（例えば、移動体無線電話機又はセルラー移動体無線網とのインタフェースを備えたＰＤＡ）は、ショートメッセージ（例えば、ＳＭＳやＵＳＳＤ）及びデータ（例えば、ＩＰパケット）を移動体無線網４から受信するとともに、その網に送信することができる。この移動体無線網４は、データも伝送することができる網、例えば、ＧＳＭ、ＧＰＲＳ、ＨＳＣＳＤ、ＥＤＧＥ、ＵＭＴＳ又はＣＤＭＡ網である。移動体機器３は、網４を介して、その機器を識別するための識別モジュール（例えば、ＳＩＭカード３０）を有する。移動体機器３及び／又はＳＩＭカード３０内のプロセッサによって、一つ以上のソフトウェアアプリケーションを実行することができる。
【００２４】
移動体機器３は、更に、ＲＦＩＤリーダー機器２を有するか、或いは（例えば、ＵＳＢ、ファイヤーワイヤー、ＰＣカード、コンパクトフラッシュ(R)、専用又はその他の接続方式、或いはブルートゥースやＷＬＡＮの非接触接続方式により）そのようなリーダー機器と接続される。リーダー機器２は、マイクロコントローラと、近傍のＲＦＩＤ構成部品とデータを交換するための少なくとも一つのアンテナ又はコイルを有する。データの伝送は、好ましくは、１３．５６ＭＨｚ、９００ＭＨｚ、８６０〜９３０ＭＨｚの中の一つ以上の周波数帯域で行われる。リーダー部分は、好ましくは、異なる周波数帯域で、かつ異なるＲＦＩＤにより動作するように選定することができる。ＲＦＩＤを読み出させる動作範囲は、リーダー部分とタグの向きに依存して、好ましくは、２〜１０メートルである。接続は、好ましくは、ＡＳＫ後方散乱変調による半二重モードで行われる。
【００２５】
ＲＦＩＤ構成部品１は、チップの製造時又は個人向け設定時にコード１００を保存するための消去不能な固定記憶エリアを備えたチップ１０を有する。このコードは、各特定の製品を一義的に識別するものであり、好ましくは、個々の製品は、それぞれ別々のコードを有する。しかし、一つのシリーズ製品であることを示すことを目的とする場合には、幾つかの製品に同じコード１００を付与することができる。
【００２６】
好ましくは、コードを改竄することができない。コード生成業者（例えば、網運用業者）は、有効な、使用済み、又は期限切れのコードが、その旨マーキングされたテーブルを保守する。
【００２７】
コード１００は、好ましくは、６４、９６又はそれ以上のビットを有し、階層的に構成されている。リーダー機器２からの問合せに対するＲＦＩＤ構成部品１０の返答１０００は、好ましくは、ヘッダー１００１と、冗長的な検証データ１００２と、その次にコード１００だけを有する（図２）。その他のデータは、チップ１０の記憶エリアに保存されており、リーダー部分により読み出すことができる。
【００２８】
コード１００は、好ましくは、共通の認証機関によって、異なる製品製造業者、移動体無線網提供業者及び付加価値サービス提供業者に配布され、コード１００の一部は、好ましくは、価値保存カード１を購入したサービス提供業者の識別子（例えば、移動体無線網運用業者の識別子）を表す。利用者にサービスを提供したいサービス提供業者は、共通の認証機関から一連のコードを確保して、その次に、それらのコードの一部を、配布するＲＦＩＤ構成部品１に保存する。
【００２９】
移動体機器３では、リーダー機器２を介して近傍のＲＦＩＤ構成部品１のコード１００を読み取って、このコードを移動体無線網４により送信するための少なくとも一つのアプリケーションが配備されている。コードの読み取りは、好ましくは、移動体機器３及び／又はリーダー機器２によって始動され、例えば、移動体機器が、連続的又は周期的に近傍のＲＦＩＤ構成部品を探索して、見い出したＲＦＩＤ構成部品１内のコードを読み出すか、処理するか、或いは転送することが可能である。別の低電流の実施形態では、読み取りは、移動体機器３及び／又はリーダー機器２の利用者によって始動され、利用者は、ＲＦＩＤ構成部品１を読み出したい場合に、対応するアプリケーションを立ち上げるか、或いはコマンドを入力する。移動体機器３又はその他の機器を用いたＲＦＩＤ構成部品１の読み取りは、近い範囲内ではインタフェース（例えば、ブルートゥースまたはＷＬＡＮ）を介して、移動体無線網４を介して、或いはアクセスしているＷＥＢ又はＷＡＰページ上のリンクを介して、外部機器（例えば、販売ポイント又は自動機械）によって始動することもできる。
【００３０】
読み取ったコード１００を処理するために、移動体機器３とリーダー機器２の両方又は一方にアプリケーションの一部として、簡単なフィルター及び処理手段を配備することができる。このアプリケーションは、例えば、コードの一定の部分だけを処理して転送することができる。それらしくない、或いはエラーを含むコードを削除するために、冗長性検査を配備することもできる。以前使用されていたコードは、好ましくは、将来における制御、静的な評価及びバックアップのために、移動体機器３のデータベースに保存される。
【００３１】
このアプリケーションでは、コードを読み取るか、或いは転送する前に、パスワード又はその他の認証を要求することもできる。例えば、パスワードは、製品、例えば、複数回補充することができるプリペイドカード又は価値保存カードの隠れた部分に印刷するか、或いは別のチャネルを介して、移動体利用者に送ることができる。パスワードの検証により、例えば、権限の無い第三者が、適当なリーダー機器を用いて、別人の製品のコードを読み出して、使用することを防止することができる。
【００３２】
一つの実施形態では、パスワードは、コード１００の一部を構成するか、或いはこのコードから関数を用いて求めることができる。パスワードは、例えば、パブリックキーを用いて検証することができる、コードのシグネチャーから取得することができる。この場合、権限の無い第三者が、対応する関数又はプライベート署名キーを知っていれば、コードだけからパスワードを求めることができる。この実施形態は、アプリケーションが、コードだけにもとづき、パスワードの有効性を検証することができるという利点を有する。
【００３３】
別の実施形態では、パスワードの有効性は、ＳＩＭカード３０、移動体機器３又は外部サーバー内のテーブルにもとづき検証される。
【００３４】
更に別の実施形態では、パスワードは、ＲＦＩＤ構成部品１に保存されており、ＲＦＩＤ構成部品１により検証される。しかし、この実施形態は、パスワードを保存、受信及び比較することもできる高価なＲＦＩＤ構成部品を必要とする。
【００３５】
移動体機器３におけるアプリケーションは、コードを更に処理して、所望のサービスをオーダーする前に、利用者の確認を要求することができる。この確認は、例えば、移動体機器のキーボード、ＰＤＡ、その他の入力手段又は音声コマンドにより入力することができる。
【００３６】
パスワードが正しく、確認が受信された場合に、読み出されたコード１００は、サービスオーダーメッセージ（例えば、ショートメッセージ、好ましくは、ＧＰＲＳ又はＵＭＴＳパケット）に纏められて、移動体無線網４を介して、周知のアドレスのサーバー５、好ましくは、移動体無線網４のインフラストラクチャー内のサーバーに送信される。このサービスオーダーメッセージは、任意選択により、移動体機器３又はＳＩＭカード３０によって、タイムスタンプを押されるか、或いは設定される。
【００３７】
サーバー５は、幾つかの、或いは場合によってはすべてのＲＦＩＤリーダー２から受信する、コードの入ったサービスオーダーメッセージを管理する。異なるエリアからのコードを異なった形で扱うか、或いは全く扱わないようにするために、その他のより複雑なフィルターをサーバー５に配備することができる。
【００３８】
コードを処理するために、サーバー５がパスワードを要求することもでき、移動体機器と同様に、このパスワードは、コード自体から導き出すか、或いはテーブルにもとづき検証することができる。このパスワードは、例えば、コード１００と一緒に、一つのメッセージでサーバー５に伝送される。
【００３９】
サーバー５は、利用者の本人確認を検証することもできる。このことは、サーバー５が、移動体無線網４の運用業者によって管理されている場合、なお一層信頼性を増すことととなる。この場合、移動体利用者の本人確認は、確実には、ＳＩＭカード３０内のＩＭＳＩ（国際移動電話加入者識別番号）又はその他の識別子にもとづき決定することができる。一定のサービスは、一定の利用者（例えば、対応するサービスに加入している、金銭口座に十分な残高を持っている、或いはそのプロファイルにサービスを提供することができる移動体利用者）にのみ提供される。
【００４０】
パスワードが間違っている、或いはその他の理由により所望のサービスを提供することができない場合、好ましくは、（例えば、ＳＭＳ、ＵＳＳＤ又はインターネットを介して）利用者にメッセージが送信される。何回かの試みが失敗した後は、セキュリティ上の理由から、確定的に、或いは一時的に、更なる試みを阻止することができる。この手法により、試みを繰り返すうちに、有効なコードに突き当たってしまうことを防止することが可能である。
【００４１】
サーバー５は、インターネット又はイントラネットを介して、各コードに対応した電子的なページの電子的なアドレスを保存しているネームサービスサーバー６と接続される。
【００４２】
サーバー５は、受信した、コード１００の入った問合せ５０をネームサービスサーバー６に転送して、ネームサービスサーバーは、対応する電子的なアドレスを回答する（応答６０）。電子的なアドレスは、例えば、ＴＣＰ−ＩＰ網に関するＵＲＬ又はその他のアドレスで構成される。
【００４３】
ネームサービスサーバー６は、サーバー５の運用業者と外部の団体（例えば、コード１００を異なる会社に配布する機関）の両方又は一方によって管理される。所望のアドレスが、サーバー６内で見つからなかった場合に、別のネームサービスサーバーを検索するために、幾つかのネームサービスサーバーを相互に接続することができる。このことにより、例えば、移動体無線網の運用業者が、別の機関のコードを処理することも可能となる。外部のネームサービスのローカルなキャッシュをサーバー５又はサーバー５のドメイン内に配備することもできる。
【００４４】
従って、移動体機器３の利用者は、すべてのサービス提供業者のすべてのコード１００を、同じ目標とするサーバー５に常に送信して、このサーバーが、ネームサービスサーバー６又はネームサービスサーバー６の網から、所望のサービスを受けるためのベースとなるページアドレスを決定するようにすることができる。このため、サービスオーダーメッセージの処理は、メッセージ内のコードにのみ依存することとなる。従って、幾つかのサービス提供業者の異なるサーバー５に届く同様のメッセージにより、同じサービスを提供することができる。
【００４５】
コード１００とページアドレス間のネームサービスサーバー６内における関連付けは、好ましくは、ページアドレスの所有者、例えば、ＲＦＩＤ構成部品を備えた製品の製造業者によって、（例えば、専用のＷＥＢフォームにより）何時でも修正することができる。このことにより、最終利用者に通知することなく、ページ又はドメインの電子的なアドレスを変更することができる。
【００４６】
従って、所望のページのページアドレスは、ＲＦＩＤ構成部品１内に保存されている６４又は９６ビットのコードにもとづき、一つだけ一義的に見い出すことができ、そのため、アクセスするページは、サーバー５のアドレス又は電話番号から完全に独立したものとなる。多くの製品にマーキングしなければならず、そしてセキュリティの理由から、すべてのコードを使用することができないので、コードには、自由に使える十分なビットを持たせなければならず、そして非常に多くの可能性の有る組み合わせが、既に割り当てられているので、例えば、単一のＩＰ番号では、恐らく不十分である。好ましくは、その他の独立したページアドレス指定方式も使用される。
【００４７】
サーバー５は、ネームサービスサーバー６から所望のページアドレスの入った応答６０を受信して、サーバー７、或いは幾つかのローカル又はリモートサーバーを持つ網内の対応するページにアクセスする（図１の問合せ５１と応答７０）。
【００４８】
一つの実施形態では、所望のページのアドレスは、ネームサービスサーバー６によって指定されたアドレスをコード１００の中の一つ以上のビットと組み合わせることによって得られる。この場合、ネームサービスサーバー６のアドレスは、一つのエリアに対応し、そのエリア内の個々のページは、コードの一定の部分に対応する。このことは、ネームサービスサーバー６をより容易に構成することができるという利点を有する。
【００４９】
一つの実施形態では、サーバー５によってアクセスされるサーバー７内のページは、移動体機器３に送信される所望の電子的なアドレスのフィールドだけを含む。
【００５０】
好ましい実施形態では、サーバー７内のページは、マークアップ言語のハイパーテキストコンテンツを含む。一つの実施形態では、このページは、ＸＭＬ（拡張マークアップ言語）コンテンツで構成される。別の実施形態では、ページは、ＰＭＬ（物体情報マークアップ言語）コンテンツを含む。ページのマークアップタグで示された少なくとも一つのフィールドは、所望のアドレスを有し、ページには、タグを用いた一つ以上のフィールドによる幾つかのアドレスが存在することができる。
【００５１】
サーバー５及び最終的には移動体機器３が、所望のデータ及びオブジェクトにアクセスすることができるためのＳＯＡＰ（シンプルオブジェクトアクセスプロトコル）、．ＮＥＴフレームワーク又はその他のＷＥＢサービスをサポートすることもできる。この場合、これらのＷＥＢサービスにより取得可能なデータ及びオブジェクトは、所望の一つの電子的なアドレス又は所望の複数の電子的なアドレスを含む。
【００５２】
サーバー７のページは、データを含むリモートからダウンロード可能なコンピュータオブジェクト及びそれに対応するプログラム要素を含むこともできる。この場合、オブジェクト内で取得可能なコードは、所望の一つ以上の電子的なアドレスを含む。移動体機器３は、プログラム要素を実行して、これらの電子的なアドレスを管理することができる。プログラム要素は、例えば、提示された幾つかの電子的なアドレス又は通信チャネルの中の一つを選択することを可能とする対話用プログラム要素を実行することができる。好ましい実施形態では、プログラム要素は、シンビアンオペレーティングシステムによって実行可能なＪＡＶＡ(R)アプレット又はプログラム部分を含む。
【００５３】
サーバー５は、サーバー７から所望のページをダウンロードするか、所望のコンテンツ又はそのコンテンツの一部にアクセスするか、或いはその両方を行う。コンテンツを表すページは、移動体無線通信網４を介して、移動体機器３に送信される。
【００５４】
移動体機器３は、一つ以上の電子的なアドレス又はそのアドレスを含むオブジェクトを用いて、サーバー７からダウンロード可能なページを受信する。その次に、例えば、ＸＭＬ又はＰＭＬブラウザー又はパーサーを用いて、或いはオブジェクト内に含まれるプログラム又はアプレットを用いて、そのページ又はオブジェクトから電子的なアドレスを抽出する。
【００５５】
第一の実施形態では、このアドレスを用いて、電気通信サービスを（利用者の介入無しに）自動的に利用することが可能である。例えば、この電子的なアドレスを移動体機器３又はＳＩＭカード３０のアドレスディレクトリィに自動的に保存するか、電気通信網８を介して、端末９とこの目標アドレスとの接続を自動的に確立するか、或いはその両方を行うことが可能である。アドレスタイプに従って、電気通信網８を、交換網、例えば、移動体又は固定用音声又はデータ網、例えば、セルラー移動体通信網又はインターネットとすることができる。
【００５６】
接続は、好ましくはアドレスタイプに依存し、アドレスが、電話番号に対応する場合には、自動的又は確認後に電話接続が確立される。このアドレスが、電子メールアドレスに対応する場合、例えば、そのアドレスを用いて、商品を自動的にオーダーしたり、支払いトランザクションを実行するための（サーバー７のページからダウンロードされる）標準的なコンテンツを場合によっては含むことができる電子メールが準備される。電子的なアドレスは、そのページを相応のブラウザーを用いて表示させるためのＷＥＢ又はＷＡＰページのＵＲＬに対応することもできる。
【００５７】
別の実施形態では、利用者の介入後にだけ、決定した電子的なアドレスを用いて、電気通信サービスを利用することが可能である。最も簡単な場合、利用者の介入は、確認要求メッセージにもとづく確認だけで構成される。別の実施形態では、例えば、それがダウンロード可能なＸＭＬコンテンツから成るのかが明確でない場合にファクシミリ又は電話接続を確立するのか否かを決定するために、利用者は、一定の通信チャネルを選択することを求められる。利用者は、ページ上で取得可能な同じ（又は異なる）特定のタイプの幾つかのアドレスの中からどのアドレスを使用したいのか、どの通信サービスを呼び出したいのか、及びそのサービスに対して、どのコンテンツ又はどのパラメータを使用するのかを指定することも可能である。
【００５８】
この発明の範囲内において、移動体機器３に送信される電子的なアドレスは、電子的なキー又は証明書を含むことも可能である。このキーは、例えば、移動体機器３の利用者の識別子を提供するために、或いは利用者が一定のトークンを所有していることを証明するために使用することができ、（例えば、閉じた領域で非接触式インタフェースを介して）ローカル網内における、或いはリモート機器とのその他のサービスを解除するために使用することができる。
【００５９】
図３は、ＲＦＩＤ構成部品１が名刺に組み込まれている、この発明の実施形態を図示している。この電子的な名刺を、移動体機器３によって読み取って、名刺のＲＦＩＤ構成部品１のすべてのパラメータをダウンロードすることが可能なサーバー７のページにアクセスすることができる。ＲＦＩＤ構成部品１を単に読み取ることによって、カード上に印刷された番号により、自動的に電話接続することが可能である。
【００６０】
好ましくは、サーバー７のページからダウンロード可能な所望のアドレスは、場合によっては表示又はロゴと一緒に製品上に印刷される。例えば、名刺又は製品上の電話番号の隣に特別なロゴを配置して、利用者が、製品のチップ１０内のコードを読み取って、送信することにより、その電話番号に自動的にダイヤルすることが可能であることを知れるようにすることができる。
【００６１】
この発明による方法は、製品のサポートサービスに関する電子メールアドレス、電話番号、ファックス番号及び／又はＷＥＢアドレスをより容易に決定して、ダウンロードし、使用するという利点を持つ形で使用することができる。ＲＦＩＤ構成部品１のコード１００は、特定のタイプの個々の製品をそれぞれ個別に示しているので、同じ製品の各利用者又は購入者に対して別々の電子的なアドレスを割り振ることが可能であり、そのアドレスは、購入日、保証期限、取得日、サポート契約の有効性、利用者の言語、利用者のプロファイル、その製品の以前の履歴と作業等に依存することができる。更に、これらの電子的なアドレスは、場合によっては製品製造業者が何時でも変更することが可能なように、その業者によって管理することができるサーバー７のページ内に置かれる。また、サーバー７のページのアドレスは、ネームサービスサーバーでの簡単な変更によって何時でも修正することができる。このようにして、この発明による方法によって、利用者は、責任有るサポートスタッフのその時点の個々の電子的なアドレスを決定して、使用することが可能となる。
【図面の簡単な説明】
【００６２】
【図１】移動体機器、ＲＦＩＤリーダー機器及びＲＦＩＤを備えたシステムのブロック図
【図２】この発明によるコードが入ったメッセージの構造
【図３】この発明によるＲＦＩＤ構成部品を備えた名刺
【符号の説明】
【００６３】
１        ＲＦＩＤ構成部品
１０      チップ
１００    コード
１０００  返答
１００１  ヘッダー
１００２  検証データ
２        ＲＦＩＤリーダー機器
３        移動体機器
４        移動体無線網
５        サーバー
５０      問合せ
５１      問合せ
６        ネームサービスサーバー
６０      返答
７        サーバー
７０      サーバー
８        電気通信網
９        端末
【図１】
2007535732.tif 000003
【図２】
2007535732.tif 000004
【図３】
2007535732.tif 000005
【手続補正書】
【提出日】平成17年9月23日(2005.9.23)
【手続補正１】
【補正対象書類名】特許請求の範囲
【補正対象項目名】全文
【補正方法】変更
【補正の内容】
【特許請求の範囲】
【請求項１】
電気通信利用者が、電気通信端末と電子的なアドレスを用いて、電気通信サービスにアクセスすることを可能とする方法であって、
電気通信利用者が、ＲＦＩＤリーダー機器（２）を用いて、ＲＦＩＤ構成部品（１）内に保存されている電子的なコード（１００）を読み出す措置と、
電気通信網（４）を介して、当該の電子的なコード（１００）をネームサービスサーバー（６）に伝送する措置と、
当該のネームサービスサーバー（６）が、当該のコードに対応するページの電子的なページアドレスを返信して、そのページから当該の電子的なアドレスを抽出することができるようにする措置と、
所望の電子的なアドレスを、当該の電気通信端末（３）に提供する措置と、
当該の電気通信サービスにアクセスし、当該の電気通信サービスが、当該の電子的なアドレスを割り当てられたエンティティによる支払いトランザクションを含むものである措置と、
を有する方法。
【請求項２】
当該の電子的なコード（１００）は、サーバー（５）に送信され、
そのサーバー（５）は、電気通信網（４）のインフラストラクチャー内に配置されており、そのコードをネームサービスサーバー（６）に転送し、
当該のネームサービスサーバー（６）は、電気通信網（４）のインフラストラクチャー外に配置されており、幾つかの網運用業者からアクセス可能である、
請求項１に記載の方法。
【請求項３】
当該のページが、マークアップ言語によるハイパーテキストコンテンツを有する請求項１又は２に記載の方法。
【請求項４】
当該の電子的なアドレスが、交換網（８）における目標とする端末（９）の電子的なアドレスに相当する請求項１から３までのいずれか一つに記載の方法。
【請求項５】
当該の電子的なアドレスが、電話番号又はファクシミリ番号である請求項４に記載の方法。
【請求項６】
当該の電子的なアドレスが、パケット網（８）における目標とする端末（９）の電子的なアドレスに相当する請求項１から３までのいずれか一つに記載の方法。
【請求項７】
当該の電子的なアドレスが、電子メールアドレスである請求項６に記載の方法。
【請求項８】
当該の電子的なアドレスが、ＵＲＬである請求項６に記載の方法。
【請求項９】
当該のページが、当該の電子的なアドレスだけを有する請求項１から８までのいずれか一つに記載の方法。
【請求項１０】
当該の電子的なアドレスが、当該のページにおいて、ＸＭＬ又はＰＭＬフィールドとして記述されており、当該の電気通信端末によってソートされる請求項３から８までのいずれか一つに記載の方法。
【請求項１１】
当該の電子的なアドレスが、ＷＥＢサービスを介して取得可能である請求項１から８までのいずれか一つに記載の方法。
【請求項１２】
当該の電気通信サービスが、当該の電子的なアドレスを用いて、当該の電気通信端末（３）と目標とする端末（９）との間の接続を確立することを含む請求項１から１１までのいずれか一つに記載の方法。
【請求項１３】
当該の電気通信サービスが、当該の電子的なアドレスをディレクトリィに保存することを含む請求項１から１２までのいずれか一つに記載の方法。
【請求項１４】
当該の電気通信サービスが、当該の電子的なアドレスのハイパーテキストページへのアクセスを含む請求項１から１１までのいずれか一つに記載の方法。
【請求項１５】
当該のコードを読み出した後、当該の利用者の介入無しに、当該の電気通信サービスにアクセスする請求項１から１４までのいずれか一つに記載の方法。
【請求項１６】
当該のコードを読み出した後、当該の利用者が確認した後でのみ、当該の電気通信サービスにアクセスする請求項１から１４までのいずれか一つに記載の方法。
【請求項１７】
当該の電気通信端末のソフトウェアアプリケーションが、当該の利用者に当該の確認を求める請求項１６に記載の方法。
【請求項１８】
当該のソフトウェアアプリケーションが、利用者に当該の電子的なアドレスによって利用可能な幾つかの電気通信サービスの中から一つを選択することを求める請求項１７に記載の方法。
【請求項１９】
当該のソフトウェアアプリケーションが、利用者に幾つかの利用可能な電子的なアドレスの中の一つを選択することを求める請求項１７又は１８に記載の方法。
【請求項２０】
当該のページから、当該のソフトウェアアプリケーションをダウンロードする請求項１７又は１８に記載の方法。
【請求項２１】
当該の電子的なアドレスが、オブジェクト内において構造化されており、このオブジェクトが、当該の電気通信サービスにアクセスするためのプログラムも含む請求項１７又は１８に記載の方法。
【請求項２２】
当該の電気通信利用者の手動による始動によって、当該の各コード（１００）の処理を開始する請求項１から２１までのいずれか一つに記載の方法。
【請求項２３】
当該の電気通信端末（２，３）は、閉じた領域において、ＲＦＩＤ構成部品（１）を連続して探し求める請求項１から２１までのいずれか一つに記載の方法。
【請求項２４】
当該のＲＦＩＤリーダー機器（２）が、移動体無線電話機（３）の一部である請求項１から２３までのいずれか一つに記載の方法。
【請求項２５】
当該のコードは、当該の移動体無線電話機（３）のソフトウェアアプリケーションによって構造化されて、当該のサーバー（５）に送信される請求項２４に記載の方法。
【請求項２６】
当該の電気通信サービスが、当該の移動体機器（３）によってアクセスされる請求項２３又は２４に記載の方法。
【請求項２７】
少なくとも一つのコード（１００）を保存しているＲＦＩＤ構成部品（１）を備えた製品と、
当該の幾つかのコード（１００）に対して、それらに対応するパケット網のダウンロード可能なページのページアドレスを指定するネームサービスサーバー（６）と、
当該のページアドレスにより、パケット網を介してアクセス可能な少なくとも一つのページと、
当該の移動体機器（３）が、コード（１００）に対応する当該のページアドレスを決定して、当該のページから電子的なアドレスを抽出するとともに、当該の電子的なアドレスを割り当てられたエンティティによる支払いトランザクションを実行するためのアプリケーションを有し、この移動体機器（３）と接続されるとともに、当該のコード（１００）を読み取ることが可能な少なくとも一つのＲＦＩＤリーダー機器（２）と、
を構成要素として備えており、少なくとも一つの電子的なアドレスがマークアップフィールドとして表されているシステム。
【請求項２８】
当該の電子的なアドレスが、当該の製品上に印刷されている請求項２７に記載のシステム。
【手続補正２】
【補正対象書類名】明細書
【補正対象項目名】全文
【補正方法】変更
【補正の内容】
【発明の詳細な説明】
【技術分野】
【０００１】
この発明は、電気通信網用の電気通信端末の利用者が、電子的なアドレスを用いて電気通信サービスにアクセスすることを可能とする請求項１による方法及び請求項２７によるシステムに関する。
【背景技術】
【０００２】
多くの電気通信サービスでは、電子的なアドレスを入力することが必要である。電話接続を実現するためには、電話番号を入力しなければならず、電子メールを送信するためには、受信者のアドレスをタイプ入力しなければならない。ウェブページへのアクセスも、ＵＲＬアドレスによって可能となる。
【０００３】
電子的なアドレスを覚えておいて、そのアドレスをタイプ入力することは退屈な作業であり、間違いを起こし易い。大抵の場合、必要なアドレスは、ローカル又はリモートディレクトリィ、例えば、電話番号や電子メールアドレス用のメモリ領域又はＵＲＬ用のブックマーク管理プログラムに保存されている。
【０００４】
しかし、新しいアドレスは、それを使用する前にディレクトリィ内に書き込まなければならない。新しいアドレスを自動的に読み込んで、それをディレクトリィに保存するための多くの方法が知られている。例えば、バーコードとして印刷された電子的なアドレスを読み込んで処理することができるバーコードスキャナーが知られている。しかし、バーコードは、アドレス用としては比較的まばらにしか配布されておらず、通常のバーコードスキャナーで読み込むことができるアドレスの最大限可能な長さが制限されている。例えば、長いＵＲＬは、バーコードとして使用するのが難しい。
【０００５】
名刺をスキャンして、それを自動的にテキストに変換し、認識したデータをデータベースに保存することができるスキャナーも知られている。しかし、そのようなテキスト認識プログラムを備えたテキストスキャナーは、比較的高価であり、持ち運びが難しい。特に、光学式文字認識（ＯＣＲ）によるテキスト認識は、間違いを起こし易く、多くの記憶領域と計算能力を必要とする。
【０００６】
また、非接触式インタフェースを介して読み取られるチップ内に電子的なアドレスを保存するシステムが既に推奨されている。しかし、そのようなシステムは、保存しているアドレスをＲＦＩＤ書込機器を用いて更新するのが難しく、そのことは、チップが再書込み可能である場合にだけ可能であるという欠点を有する。このチップの記憶容量は限定されており、見込まれる最大数よりも多いビットから成るアドレスを保存することができない。アドレスが変わった場合、それ以前に配布したすべてのチップを交換又は更新しなければならない。
【０００７】
特許文献１により、ＲＦＩＤ構成部品としても実現することができる、所謂ＩＤカードが周知である。これらのカードには、利用者（例えば、学生）の画像が保存されている。
【０００８】
特許文献２は、利用者の電気通信端末を用いて、識別コードを読み取って、直接的又はデータベースに照会した後に電話番号を選択する方法に関するものである。
【０００９】
特許文献３による実施形態では、ＲＦＩＤタグを読み出して、受信した情報をウェブページやメールボックスなどにアクセスするために使用している。
【特許文献１】欧州特許公開第１０５４３３５号明細書
【特許文献２】米国特許第６，６１１，６７３号明細書
【特許文献３】国際特許公開第０３／１０７１４６号明細書
【発明の開示】
【発明が解決しようとする課題】
【００１０】
この発明の課題は、前述した問題をより効率的に解決することができる新しい方法及びシステムを提案することである。
【００１１】
特に、この発明の課題は、電気通信網の利用者が電気通信端末と電子的なアドレスを用いて電気通信サービスにアクセスすることを可能ととする新しい方法及びシステムを提案することである。提供可能なサービスには、例えば、指定されたアドレスによる接続の確立、ディレクトリィへの電子的なアドレスの保存、ＳＩＭカードに関連する口座からの金額の充填（複数回補充することができるプリペイドカード又は価値保存カード）、移動体端末又は移動体無線網における各ブロック解除機能のブロック、電子的なアドレスによる支払いトランザクション等が有る。
【００１２】
また、この発明の課題は、電子的なアドレスをより効率的に配布、更新、読み取り及び使用することを可能とする新しい方法及びシステムを提案することである。
【００１３】
この発明の別の課題は、利用者が、ログインしている電気通信システムと関係なく、アドレスを使用することを可能とする新しい方法及びシステムを提案することである。
【課題を解決するための手段】
【００１４】
これらの課題は、特に、電気通信利用者が、電気通信端末と電子的なアドレスを用いて、電気通信サービスにアクセスすることを可能とする方法であって、
電気通信利用者が、ＲＦＩＤリーダー機器を用いて、ＲＦＩＤ構成部品内に保存されている電子的なコードを読み出す措置と、
電気通信網を介して、当該の電子的なコードをネームサービスサーバーに伝送する措置と、
当該のネームサービスサーバーが、当該のコードに対応するページの電子的なページアドレスを返信して、そのページから当該の電子的なアドレスを抽出することができるようにする措置と、
所望の電子的なアドレスを、当該の電気通信端末に提供する措置と、
当該の電気通信サービスにアクセスし、当該の電気通信サービスが、当該の電子的なアドレスを割り当てられたエンティティによる支払いトランザクションを含むものである措置と、
を有する方法によって達成される。
【００１５】
この方法は、使用する電子的なアドレスが電気通信端末に自動的に転送されるという利点を有する。
【００１６】
また、この方法は、使用する電子的なアドレスが、ＲＦＩＤ構成部品内に保存されているのではなく、例えば、そのアドレスの所有者によって、ＲＦＩＤ構成部品の配布後であっても何時でも容易に更新することができるページ上に保存されているという利点を有する。
【００１７】
更に、この方法は、所望の電子的なアドレスを抽出するためのページのページアドレス自身が、ネームサービスサーバーによって決定され、そのためＲＦＩＤ構成部品の利用者に通報することなく容易に変更することができるという利点を有する。このことにより、例えば、このページを異なるサーバー上で提供することができる。
【００１８】
このページのページアドレスは、ＲＦＩＤ構成部品から読み込まれたコードに対応する。コードと電子的なページアドレス間の関連付けは、静的ではなく、ネームサービスサーバーに登録されている。このことは、ページアドレスの変更が何時でも可能であり、簡単に追跡することができるという利点を有する。このことは、サーバーの単一アドレスにより、各網の各移動体機器から、サービスをオーダーすることができる汎用的なシステムであるという利点も有する。
【００１９】
更に、この発明による方法は、当該の電気通信端末の電子的なアドレスを取得すると直ちに電気通信サービスにアクセスすることができるという利点を有する。従って、ＲＦＩＤリーダー機器を用いて、場合によっては利用者が介入することがなくても、直ちに電子的なアドレスを決定して、そのアドレスをサービスにアクセスするために使用することが可能である。
【００２０】
この方法により、利用者、例えば、移動体加入者が、所望のサービスのアドレスを転送することができるＲＦＩＤ構成部品を所有していることを証明することができる。ＲＦＩＤ構成部品は、コピーされ難いことと、電子的なアドレスが、場合によってはダウンロード可能なページ上だけで入手可能であることとから、電子的なアドレスの配布とそのためサービスへのアクセスを制御することができ、そのことは、セキュリティも向上させることとなる。
【００２１】
ＲＦＩＤ構成部品は、製品、例えば、名刺（これだけに限定されるものではない）と組み合わせることが可能なタグに組み込むことができる。従って、タグ内のコードを読み取ることによって、その時点で製品サポートに対して責任を持つ人の電話番号又は電子メールアドレスを決定して、その人との接続を自動的に確立することが可能となる。
【発明を実施するための最良の形態】
【００２２】
以下では、この発明について、図面にもとづき詳しく述べる。
【００２３】
図１は、利用者（移動体利用者）が、この発明による方法にもとづきサービスをオーダーするために使用するシステムを図示している。移動体機器３（例えば、移動体無線電話機又はセルラー移動体無線網とのインタフェースを備えたＰＤＡ）は、ショートメッセージ（例えば、ＳＭＳやＵＳＳＤ）及びデータ（例えば、ＩＰパケット）を移動体無線網４から受信するとともに、その網に送信することができる。この移動体無線網４は、データも伝送することができる網、例えば、ＧＳＭ、ＧＰＲＳ、ＨＳＣＳＤ、ＥＤＧＥ、ＵＭＴＳ又はＣＤＭＡ網である。移動体機器３は、網４を介して、その機器を識別するための識別モジュール（例えば、ＳＩＭカード３０）を有する。移動体機器３及び／又はＳＩＭカード３０内のプロセッサによって、一つ以上のソフトウェアアプリケーションを実行することができる。
【００２４】
移動体機器３は、更に、ＲＦＩＤリーダー機器２を有するか、或いは（例えば、ＵＳＢ、ファイヤーワイヤー、ＰＣカード、コンパクトフラッシュ(R)、専用又はその他の接続方式、或いはブルートゥースやＷＬＡＮの非接触接続方式により）そのようなリーダー機器と接続される。リーダー機器２は、マイクロコントローラと、近傍のＲＦＩＤ構成部品とデータを交換するための少なくとも一つのアンテナ又はコイルを有する。データの伝送は、好ましくは、１３．５６ＭＨｚ、９００ＭＨｚ、８６０〜９３０ＭＨｚの中の一つ以上の周波数帯域で行われる。リーダー部分は、好ましくは、異なる周波数帯域で、かつ異なるＲＦＩＤにより動作するように選定することができる。ＲＦＩＤを読み出させる動作範囲は、リーダー部分とタグの向きに依存して、好ましくは、２〜１０メートルである。接続は、好ましくは、ＡＳＫ後方散乱変調による半二重モードで行われる。
【００２５】
ＲＦＩＤ構成部品１は、チップの製造時又は個人向け設定時にコード１００を保存するための消去不能な固定記憶エリアを備えたチップ１０を有する。このコードは、各特定の製品を一義的に識別するものであり、好ましくは、個々の製品は、それぞれ別々のコードを有する。しかし、一つのシリーズ製品であることを示すことを目的とする場合には、幾つかの製品に同じコード１００を付与することができる。
【００２６】
好ましくは、コードを改竄することができない。コード生成業者（例えば、網運用業者）は、有効な、使用済み、又は期限切れのコードが、その旨マーキングされたテーブルを保守する。
【００２７】
コード１００は、好ましくは、６４、９６又はそれ以上のビットを有し、階層的に構成されている。リーダー機器２からの問合せに対するＲＦＩＤ構成部品１０の返答１０００は、好ましくは、ヘッダー１００１と、冗長的な検証データ１００２と、その次にコード１００だけを有する（図２）。その他のデータは、チップ１０の記憶エリアに保存されており、リーダー部分により読み出すことができる。
【００２８】
コード１００は、好ましくは、共通の認証機関によって、異なる製品製造業者、移動体無線網提供業者及び付加価値サービス提供業者に配布され、コード１００の一部は、好ましくは、価値保存カード１を購入したサービス提供業者の識別子（例えば、移動体無線網運用業者の識別子）を表す。利用者にサービスを提供したいサービス提供業者は、共通の認証機関から一連のコードを確保して、その次に、それらのコードの一部を、配布するＲＦＩＤ構成部品１に保存する。
【００２９】
移動体機器３では、リーダー機器２を介して近傍のＲＦＩＤ構成部品１のコード１００を読み取って、このコードを移動体無線網４により送信するための少なくとも一つのアプリケーションが配備されている。コードの読み取りは、好ましくは、移動体機器３及び／又はリーダー機器２によって始動され、例えば、移動体機器が、連続的又は周期的に近傍のＲＦＩＤ構成部品を探索して、見い出したＲＦＩＤ構成部品１内のコードを読み出すか、処理するか、或いは転送することが可能である。別の低電流の実施形態では、読み取りは、移動体機器３及び／又はリーダー機器２の利用者によって始動され、利用者は、ＲＦＩＤ構成部品１を読み出したい場合に、対応するアプリケーションを立ち上げるか、或いはコマンドを入力する。移動体機器３又はその他の機器を用いたＲＦＩＤ構成部品１の読み取りは、近い範囲内ではインタフェース（例えば、ブルートゥースまたはＷＬＡＮ）を介して、移動体無線網４を介して、或いはアクセスしているＷＥＢ又はＷＡＰページ上のリンクを介して、外部機器（例えば、販売ポイント又は自動機械）によって始動することもできる。
【００３０】
読み取ったコード１００を処理するために、移動体機器３とリーダー機器２の両方又は一方にアプリケーションの一部として、簡単なフィルター及び処理手段を配備することができる。このアプリケーションは、例えば、コードの一定の部分だけを処理して転送することができる。それらしくない、或いはエラーを含むコードを削除するために、冗長性検査を配備することもできる。以前使用されていたコードは、好ましくは、将来における制御、静的な評価及びバックアップのために、移動体機器３のデータベースに保存される。
【００３１】
このアプリケーションでは、コードを読み取るか、或いは転送する前に、パスワード又はその他の認証を要求することもできる。例えば、パスワードは、製品、例えば、複数回補充することができるプリペイドカード又は価値保存カードの隠れた部分に印刷するか、或いは別のチャネルを介して、移動体利用者に送ることができる。パスワードの検証により、例えば、権限の無い第三者が、適当なリーダー機器を用いて、別人の製品のコードを読み出して、使用することを防止することができる。
【００３２】
一つの実施形態では、パスワードは、コード１００の一部を構成するか、或いはこのコードから関数を用いて求めることができる。パスワードは、例えば、パブリックキーを用いて検証することができる、コードのシグネチャーから取得することができる。この場合、権限の無い第三者が、対応する関数又はプライベート署名キーを知っていれば、コードだけからパスワードを求めることができる。この実施形態は、アプリケーションが、コードだけにもとづき、パスワードの有効性を検証することができるという利点を有する。
【００３３】
別の実施形態では、パスワードの有効性は、ＳＩＭカード３０、移動体機器３又は外部サーバー内のテーブルにもとづき検証される。
【００３４】
更に別の実施形態では、パスワードは、ＲＦＩＤ構成部品１に保存されており、ＲＦＩＤ構成部品１により検証される。しかし、この実施形態は、パスワードを保存、受信及び比較することもできる高価なＲＦＩＤ構成部品を必要とする。
【００３５】
移動体機器３におけるアプリケーションは、コードを更に処理して、所望のサービスをオーダーする前に、利用者の確認を要求することができる。この確認は、例えば、移動体機器のキーボード、ＰＤＡ、その他の入力手段又は音声コマンドにより入力することができる。
【００３６】
パスワードが正しく、確認が受信された場合に、読み出されたコード１００は、サービスオーダーメッセージ（例えば、ショートメッセージ、好ましくは、ＧＰＲＳ又はＵＭＴＳパケット）に纏められて、移動体無線網４を介して、周知のアドレスのサーバー５、好ましくは、移動体無線網４のインフラストラクチャー内のサーバーに送信される。このサービスオーダーメッセージは、任意選択により、移動体機器３又はＳＩＭカード３０によって、タイムスタンプを押されるか、或いは設定される。
【００３７】
サーバー５は、幾つかの、或いは場合によってはすべてのＲＦＩＤリーダー２から受信する、コードの入ったサービスオーダーメッセージを管理する。異なるエリアからのコードを異なった形で扱うか、或いは全く扱わないようにするために、その他のより複雑なフィルターをサーバー５に配備することができる。
【００３８】
コードを処理するために、サーバー５がパスワードを要求することもでき、移動体機器と同様に、このパスワードは、コード自体から導き出すか、或いはテーブルにもとづき検証することができる。このパスワードは、例えば、コード１００と一緒に、一つのメッセージでサーバー５に伝送される。
【００３９】
サーバー５は、利用者の本人確認を検証することもできる。このことは、サーバー５が、移動体無線網４の運用業者によって管理されている場合、なお一層信頼性を増すことととなる。この場合、移動体利用者の本人確認は、確実には、ＳＩＭカード３０内のＩＭＳＩ（国際移動電話加入者識別番号）又はその他の識別子にもとづき決定することができる。一定のサービスは、一定の利用者（例えば、対応するサービスに加入している、金銭口座に十分な残高を持っている、或いはそのプロファイルにサービスを提供することができる移動体利用者）にのみ提供される。
【００４０】
パスワードが間違っている、或いはその他の理由により所望のサービスを提供することができない場合、好ましくは、（例えば、ＳＭＳ、ＵＳＳＤ又はインターネットを介して）利用者にメッセージが送信される。何回かの試みが失敗した後は、セキュリティ上の理由から、確定的に、或いは一時的に、更なる試みを阻止することができる。この手法により、試みを繰り返すうちに、有効なコードに突き当たってしまうことを防止することが可能である。
【００４１】
サーバー５は、インターネット又はイントラネットを介して、各コードに対応した電子的なページの電子的なアドレスを保存しているネームサービスサーバー６と接続される。
【００４２】
サーバー５は、受信した、コード１００の入った問合せ５０をネームサービスサーバー６に転送して、ネームサービスサーバーは、対応する電子的なアドレスを回答する（応答６０）。電子的なアドレスは、例えば、ＴＣＰ−ＩＰ網に関するＵＲＬ又はその他のアドレスで構成される。
【００４３】
ネームサービスサーバー６は、サーバー５の運用業者と外部の団体（例えば、コード１００を異なる会社に配布する機関）の両方又は一方によって管理される。所望のアドレスが、サーバー６内で見つからなかった場合に、別のネームサービスサーバーを検索するために、幾つかのネームサービスサーバーを相互に接続することができる。このことにより、例えば、移動体無線網の運用業者が、別の機関のコードを処理することも可能となる。外部のネームサービスのローカルなキャッシュをサーバー５又はサーバー５のドメイン内に配備することもできる。
【００４４】
従って、移動体機器３の利用者は、すべてのサービス提供業者のすべてのコード１００を、同じ目標とするサーバー５に常に送信して、このサーバーが、ネームサービスサーバー６又はネームサービスサーバー６の網から、所望のサービスを受けるためのベースとなるページアドレスを決定するようにすることができる。このため、サービスオーダーメッセージの処理は、メッセージ内のコードにのみ依存することとなる。従って、幾つかのサービス提供業者の異なるサーバー５に届く同様のメッセージにより、同じサービスを提供することができる。
【００４５】
コード１００とページアドレス間のネームサービスサーバー６内における関連付けは、好ましくは、ページアドレスの所有者、例えば、ＲＦＩＤ構成部品を備えた製品の製造業者によって、（例えば、専用のＷＥＢフォームにより）何時でも修正することができる。このことにより、最終利用者に通知することなく、ページ又はドメインの電子的なアドレスを変更することができる。
【００４６】
従って、所望のページのページアドレスは、ＲＦＩＤ構成部品１内に保存されている６４又は９６ビットのコードにもとづき、一つだけ一義的に見い出すことができ、そのため、アクセスするページは、サーバー５のアドレス又は電話番号から完全に独立したものとなる。多くの製品にマーキングしなければならず、そしてセキュリティの理由から、すべてのコードを使用することができないので、コードには、自由に使える十分なビットを持たせなければならず、そして非常に多くの可能性の有る組み合わせが、既に割り当てられているので、例えば、単一のＩＰ番号では、恐らく不十分である。好ましくは、その他の独立したページアドレス指定方式も使用される。
【００４７】
サーバー５は、ネームサービスサーバー６から所望のページアドレスの入った応答６０を受信して、サーバー７、或いは幾つかのローカル又はリモートサーバーを持つ網内の対応するページにアクセスする（図１の問合せ５１と応答７０）。
【００４８】
一つの実施形態では、所望のページのアドレスは、ネームサービスサーバー６によって指定されたアドレスをコード１００の中の一つ以上のビットと組み合わせることによって得られる。この場合、ネームサービスサーバー６のアドレスは、一つのエリアに対応し、そのエリア内の個々のページは、コードの一定の部分に対応する。このことは、ネームサービスサーバー６をより容易に構成することができるという利点を有する。
【００４９】
一つの実施形態では、サーバー５によってアクセスされるサーバー７内のページは、移動体機器３に送信される所望の電子的なアドレスのフィールドだけを含む。
【００５０】
好ましい実施形態では、サーバー７内のページは、マークアップ言語のハイパーテキストコンテンツを含む。一つの実施形態では、このページは、ＸＭＬ（拡張マークアップ言語）コンテンツで構成される。別の実施形態では、ページは、ＰＭＬ（物体情報マークアップ言語）コンテンツを含む。ページのマークアップタグで示された少なくとも一つのフィールドは、所望のアドレスを有し、ページには、タグを用いた一つ以上のフィールドによる幾つかのアドレスが存在することができる。
【００５１】
サーバー５及び最終的には移動体機器３が、所望のデータ及びオブジェクトにアクセスすることができるためのＳＯＡＰ（シンプルオブジェクトアクセスプロトコル）、．ＮＥＴフレームワーク又はその他のＷＥＢサービスをサポートすることもできる。この場合、これらのＷＥＢサービスにより取得可能なデータ及びオブジェクトは、所望の一つの電子的なアドレス又は所望の複数の電子的なアドレスを含む。
【００５２】
サーバー７のページは、データを含むリモートからダウンロード可能なコンピュータオブジェクト及びそれに対応するプログラム要素を含むこともできる。この場合、オブジェクト内で取得可能なコードは、所望の一つ以上の電子的なアドレスを含む。移動体機器３は、プログラム要素を実行して、これらの電子的なアドレスを管理することができる。プログラム要素は、例えば、提示された幾つかの電子的なアドレス又は通信チャネルの中の一つを選択することを可能とする対話用プログラム要素を実行することができる。好ましい実施形態では、プログラム要素は、シンビアンオペレーティングシステムによって実行可能なＪＡＶＡ(R)アプレット又はプログラム部分を含む。
【００５３】
サーバー５は、サーバー７から所望のページをダウンロードするか、所望のコンテンツ又はそのコンテンツの一部にアクセスするか、或いはその両方を行う。コンテンツを表すページは、移動体無線通信網４を介して、移動体機器３に送信される。
【００５４】
移動体機器３は、一つ以上の電子的なアドレス又はそのアドレスを含むオブジェクトを用いて、サーバー７からダウンロード可能なページを受信する。その次に、例えば、ＸＭＬ又はＰＭＬブラウザー又はパーサーを用いて、或いはオブジェクト内に含まれるプログラム又はアプレットを用いて、そのページ又はオブジェクトから電子的なアドレスを抽出する。
【００５５】
第一の実施形態では、このアドレスを用いて、電気通信サービスを（利用者の介入無しに）自動的に利用することが可能である。例えば、この電子的なアドレスを移動体機器３又はＳＩＭカード３０のアドレスディレクトリィに自動的に保存するか、電気通信網８を介して、端末９とこの目標アドレスとの接続を自動的に確立するか、或いはその両方を行うことが可能である。アドレスタイプに従って、電気通信網８を、交換網、例えば、移動体又は固定用音声又はデータ網、例えば、セルラー移動体通信網又はインターネットとすることができる。
【００５６】
接続は、好ましくはアドレスタイプに依存し、アドレスが、電話番号に対応する場合には、自動的又は確認後に電話接続が確立される。このアドレスが、電子メールアドレスに対応する場合、例えば、そのアドレスを用いて、商品を自動的にオーダーしたり、支払いトランザクションを実行するための（サーバー７のページからダウンロードされる）標準的なコンテンツを場合によっては含むことができる電子メールが準備される。電子的なアドレスは、そのページを相応のブラウザーを用いて表示させるためのＷＥＢ又はＷＡＰページのＵＲＬに対応することもできる。
【００５７】
別の実施形態では、利用者の介入後にだけ、決定した電子的なアドレスを用いて、電気通信サービスを利用することが可能である。最も簡単な場合、利用者の介入は、確認要求メッセージにもとづく確認だけで構成される。別の実施形態では、例えば、それがダウンロード可能なＸＭＬコンテンツから成るのかが明確でない場合にファクシミリ又は電話接続を確立するのか否かを決定するために、利用者は、一定の通信チャネルを選択することを求められる。利用者は、ページ上で取得可能な同じ（又は異なる）特定のタイプの幾つかのアドレスの中からどのアドレスを使用したいのか、どの通信サービスを呼び出したいのか、及びそのサービスに対して、どのコンテンツ又はどのパラメータを使用するのかを指定することも可能である。
【００５８】
この発明の範囲内において、移動体機器３に送信される電子的なアドレスは、電子的なキー又は証明書を含むことも可能である。このキーは、例えば、移動体機器３の利用者の識別子を提供するために、或いは利用者が一定のトークンを所有していることを証明するために使用することができ、（例えば、閉じた領域で非接触式インタフェースを介して）ローカル網内における、或いはリモート機器とのその他のサービスを解除するために使用することができる。
【００５９】
図３は、ＲＦＩＤ構成部品１が名刺に組み込まれている、この発明の実施形態を図示している。この電子的な名刺を、移動体機器３によって読み取って、名刺のＲＦＩＤ構成部品１のすべてのパラメータをダウンロードすることが可能なサーバー７のページにアクセスすることができる。ＲＦＩＤ構成部品１を単に読み取ることによって、カード上に印刷された番号により、自動的に電話接続することが可能である。
【００６０】
好ましくは、サーバー７のページからダウンロード可能な所望のアドレスは、場合によっては表示又はロゴと一緒に製品上に印刷される。例えば、名刺又は製品上の電話番号の隣に特別なロゴを配置して、利用者が、製品のチップ１０内のコードを読み取って、送信することにより、その電話番号に自動的にダイヤルすることが可能であることを知れるようにすることができる。
【００６１】
この発明による方法は、製品のサポートサービスに関する電子メールアドレス、電話番号、ファックス番号及び／又はＷＥＢアドレスをより容易に決定して、ダウンロードし、使用するという利点を持つ形で使用することができる。ＲＦＩＤ構成部品１のコード１００は、特定のタイプの個々の製品をそれぞれ個別に示しているので、同じ製品の各利用者又は購入者に対して別々の電子的なアドレスを割り振ることが可能であり、そのアドレスは、購入日、保証期限、取得日、サポート契約の有効性、利用者の言語、利用者のプロファイル、その製品の以前の履歴と作業等に依存することができる。更に、これらの電子的なアドレスは、場合によっては製品製造業者が何時でも変更することが可能なように、その業者によって管理することができるサーバー７のページ内に置かれる。また、サーバー７のページのアドレスは、ネームサービスサーバーでの簡単な変更によって何時でも修正することができる。このようにして、この発明による方法によって、利用者は、責任有るサポートスタッフのその時点の個々の電子的なアドレスを決定して、使用することが可能となる。
【図面の簡単な説明】
【００６２】
【図１】移動体機器、ＲＦＩＤリーダー機器及びＲＦＩＤを備えたシステムのブロッ        ク図
【図２】この発明によるコードが入ったメッセージの構造
【図３】この発明によるＲＦＩＤ構成部品を備えた名刺
【符号の説明】
【００６３】
１        ＲＦＩＤ構成部品
１０      チップ
１００    コード
１０００  返答
１００１  ヘッダー
１００２  検証データ
２        ＲＦＩＤリーダー機器
３        移動体機器
４        移動体無線網
５        サーバー
５０      問合せ
５１      問合せ
６        ネームサービスサーバー
６０      返答
７        サーバー
７０      サーバー
８        電気通信網
９        端末
【国際調査報告】
2007535732.tif 000006
2007535732.tif 000007
2007535732.tif 000008
2007535732.tif 000009
2007535732.tif 000010
2007535732.tif 000011